(57)【要約】【課題】  表示部材の表面に極めて少数の表示を施すものや、表示部材の大きさ或いは材質の制限があるものにも、ポッティング材による表面保護を容易に行わせることができる表面保護材及びその製造方法を提供する。【解決手段】  表示部材Ｍの表面を保護するための表面保護材であって、ポッティング加工にて表示部材Ｍの表面Ｍａと略同一形状に形成され、透明又は半透明なポッティング材から成るポッティング層１と、該ポッティング層１の裏面に形成され、表示部材Ｍの表面に粘着可能な粘着層２とを有し、粘着層２が所定の台紙３上に複数粘着され剥離可能とされたものである。【選択図】図４
2006341917.tif 000002
【特許請求の範囲】
【請求項１】
表示部材の表面を保護するための表面保護材であって、
ポッティング加工にて前記表示部材の表面と略同一形状に形成され、透明又は半透明なポッティング材から成るポッティング層と、
該ポッティング層の裏面に形成され、前記表示部材の表面に粘着可能な粘着層と、
を有し、前記粘着層が所定の台紙上に粘着され剥離可能とされたものであることを特徴とする表面保護材。
【請求項２】
前記表示部材は、球技で使用されるマーカーから成り、その表面に競技者の名前が表示されたものであることを特徴とする請求項１記載の表面保護材。
【請求項３】
表示部材の表面を保護するための表面保護材の製造方法であって、
台紙上に前記表面部材の表面と略同一形状の粘着材から成る粘着層を形成した後、当該粘着層の上面に対しポッティング加工を施してポッティング材から成るポッティング層を形成し、前記台紙から剥離して前記表示部材の表面に粘着可能とされた表面保護材を得ることを特徴とする表面保護材の製造方法。
【請求項４】
前記表示部材は、球技で使用されるマーカーから成り、その表面に競技者の名前が表示されたものであることを特徴とする請求項３記載の表面保護材の製造方法。
【発明の詳細な説明】
【技術分野】
【０００１】
本発明は、球技で使用されるマーカー等から成る表示部材の表面を保護するための表面保護材及びその製造方法に関するものである。
【背景技術】
【０００２】
ゴルフ、グラウンドゴルフ又はパークゴルフにおいては、通常、他の競技者が打球する際、ホール近くにある自分の球の代わりにマーカーを置き、当該打球の邪魔にならないようにしている。かかるマーカーとして、例えばグラウンドゴルフやパークゴルフで使用されるものの場合、円板状の金属片の表面に所定色のポッティング材（表面保護材）を形成させたものが挙げられる。
【０００３】
このような従来のマーカーは、円板状に形成された金属片の表面に所定の表示（例えばマーカーの製造者名等）を施した後、所定色に着色された溶融状態のポッティング材を表面の表示上に垂らす（ポッティング加工する）ことにより製造されていた。垂らされたポッティング材は、金属片の表面形状に沿って広がりその表面上で固化して固着されるとともに、所謂凸レンズ状に盛り上がって形成されることとなる。これにより、金属片の表面を保護することができるとともに、光沢がありマーカーとしての見栄えが向上されたものとなる。
【０００４】
尚、ポッティング材は、所定色に着色されているものの、金属片表面の表示を視認し得る程度に透明又は半透明とされている。しかして、競技者毎に異なった色のマーカーを使用するようにすれば、自分のマーカーと他の競技者のマーカーとを容易に識別させることができ、競技をスムーズに進めることができる。尚、かかる先行資料は、文献公知発明に係るものでないため、記載すべき先行技術文献情報はない。
【発明の開示】
【発明が解決しようとする課題】
【０００５】
しかしながら、上記従来の表面保護材においては、金属片（以下、表示部材という。）の表面上にポッティング材を垂らすことにより形成されたポッティング層から成るため、以下の如き問題があった。
【０００６】
例えば、ゴルフ、グラウンドゴルフ又はパークゴルフで使用されるマーカーの場合、上述の如くポッティング層の色にて競技者の判別が可能とされているが、競技者が多人数であると、競技者毎の色分けが困難となってしまうため、マーカーの表面に競技者の名前を表示したいという要求が高まりつつあった。また、競技者の判別を意図しなくても、マーカーに自分の名前を表示し、他の競技者との差別化を図りたいという要求もあった。
【０００７】
然るに、従来のマーカーを製造するには、表示部材の表面にポッティング材を垂らすポッティング加工が必要であったため、マーカー毎に競技者の名前を表示させるのは困難とされていた。即ち、ポッティング加工においては、製造コストの観点から、多数の表示部材を並べ、複数個同時にポッティング材を塗布する装置が用いられているが、競技者の名前を表示させる場合、少数（例えば１、２個）の表示部材にポッティング加工することとなり、製造コストが嵩んで、製品としてのマーカーが極めて高価なものとなってしまうのである。
【０００８】
上記の如き問題は、ゴルフ等で使用されるマーカーに限ったものではなく、ポッティング材による表面保護と見栄え向上を図るものにおいて、表示部材の表面に極めて少数の表示を行わせようとした場合、広く存在する。更に、極めて大きな表示部材の一部に表示があり、その表示上にポッティング加工したい場合や、表示部材の材質がポッティング材との固着が良好でない場合など、従来、ポッティング材を表面保護材として使用できなかったものにも適用したいという要求があった。
【０００９】
本発明は、このような事情に鑑みてなされたもので、表示部材の表面に極めて少数の表示を施すものや、表示部材の大きさ或いは材質の制限があるものにも、ポッティング材による表面保護を容易に行わせることができる表面保護材及びその製造方法を提供することにある。
【課題を解決するための手段】
【００１０】
請求項１記載の発明は、表示部材の表面を保護するための表面保護材であって、ポッティング加工にて前記表示部材の表面と略同一形状に形成され、透明又は半透明なポッティング材から成るポッティング層と、該ポッティング層の裏面に形成され、前記表示部材の表面に粘着可能な粘着層とを有し、前記粘着層が所定の台紙上に粘着され剥離可能とされたものであることを特徴とする。
【００１１】
請求項２記載の発明は、請求項１記載の表面保護材において、前記表示部材は、球技で使用されるマーカーから成り、その表面に競技者の名前が表示されたものであることを特徴とする。
【００１２】
請求項３記載の発明は、表示部材の表面を保護するための表面保護材の製造方法であって、台紙上に前記表面部材の表面と略同一形状の粘着材から成る粘着層を形成した後、当該粘着層の上面に対しポッティング加工を施してポッティング材から成るポッティング層を形成し、前記台紙から剥離して前記表示部材の表面に粘着可能とされた表面保護材を得ることを特徴とする。
【００１３】
請求項４記載の発明は、請求項３記載の表面保護材の製造方法において、前記表示部材は、球技で使用されるマーカーから成り、その表面に競技者の名前が表示されたものであることを特徴とする。
【発明の効果】
【００１４】
請求項１又は請求項３の発明によれば、表示部材とは別個にポッティング層を形成し、当該表示部材の表面に粘着するものであるため、表示部材の表面に極めて少数の表示を施すものや、表示部材の大きさ或いは材質の制限があるものにも、ポッティング材による表面保護を容易に行わせることができる。
【００１５】
請求項２又は請求項４の発明によれば、マーカーの表面に競技者の名前を表示させることができるので、競技者の判別を容易にすることができるとともに、他の競技者との差別化を図ることができる。
【発明を実施するための最良の形態】
【００１６】
以下、本発明の実施形態について図面を参照しながら具体的に説明する。
本実施形態に係る表面保護材は、ゴルフ、グラウンドゴルフ又はパークゴルフなどの球技で使用されるマーカーの表面を保護するためのものであり、図３及び図４に示すように、円板状の金属部材５の表面に表示シール４が貼着された表示部材Ｍ（マーカー）の表面Ｍａ（即ち、表示シール４の表面）上に形成され、当該表面Ｍａを保護するものである。
【００１７】
表示シール４は、その裏面に粘着剤（不図示）が塗布されるとともに、表面に競技者の名前（本実施形態の場合は、「羽立太郎」なる氏名）が印刷表示されたシート状部材から成り、表面保護材が形成される前に予め金属部材５の表面に貼着されるものである。本実施形態に係る表面保護材は、図１及び図２に示すように、ポッティング層１と、粘着層２とから成り、粘着層２側が台紙３上に複数粘着されて構成されている。
【００１８】
ポッティング層１は、ポッティング加工にて表示部材Ｍの表面Ｍａと略同一形状に形成され、透明又は半透明なポッティング材からものである。より具体的には、ポッティング層１は、同図の如く凸レンズ状に盛り上がった所定の樹脂（ポッティング材）から成り、表示部材Ｍの表面Ｍａに粘着された状態で、表示シート４の表示（競技者の名前）を視認し得る程度に透明又は半透明とされている。尚、ポッティング層１は、所定色で着色するようにしてもよい。
【００１９】
粘着層２は、ポッティング層１を構成するポッティング材の裏面に形成され、台紙３から剥がされた後、表示部材Ｍの表面Ｍａに粘着可能とされたものである。即ち、表面保護材は、粘着層２にて台紙３上の所定位置に粘着された状態とされており、表示シール４を貼着した状態の表示部材Ｍが用意された後、台紙３から剥がされ、当該表示部材Ｍの表面Ｍａに貼着（粘着層２が粘着）されるよう構成されている。
【００２０】
上記構成によれば、競技者の名前を表示させた極めて少数のマーカーを製造するにあたり、表示シール４に競技者の名前を印刷し、これを金属部材５の上に貼着させた後、その表面に本表面保護材を粘着させれば足りる。表示シール４への競技者の名前の印刷は、汎用の印刷機（例えばパソコンのプリンタ等）で行うことができるため、少数のマーカーであっても容易に製造することができる。また、表面保護材は、表示部材Ｍとは別個の工程にて製造できるため、従来から使用されているポッティング加工装置を使用して大量に製造しておくことができ、必要に応じて台紙３から剥離して使用することができる。
【００２１】
次に、上記表面保護材の製造方法について説明する。
まず、図５に示すように、表面全域に亘って粘着材（糊など）が塗布され粘着層２が形成された台紙３を用意し、その表面に対して表示部材Ｍの表面Ｍａと略同一形状（本実施形態においては円形）の型抜きを施す。かかる型抜きは、同図に示すように、粘着層２のみに円形の切込み２ａを施すよう設定されており、型抜きされた周囲の粘着層２を剥がすことにより、図６で示すような、表示部材Ｍの表面Ｍａと略同一形状の複数の粘着層２が形成される。
【００２２】
その後、図７に示すように、周知であるポッティング加工装置の注入口Ｋからポッティング材を吐出させ、粘着層２の表面に当該ポッティング材を垂らしてポッティング加工する。かかるポッティング材は、溶融状態の所定の樹脂（透明又は半透明で所定の着色が施してあってもよい）から成り、粘着層２の表面に所謂樹脂盛りされることとなる。垂らされたポッティング材は、粘着層２の形状に沿って広がりその表面上で固化して固着されるとともに、図２の如く所謂凸レンズ状に盛り上がってポッティング層１を形成することとなる。
【００２３】
これにより、本実施形態に係る表面保護材の製造が終了し、ポッティング層１の裏面に粘着層２を有した表面保護材を台紙３上に複数得ることができる。そして、競技者の名前が印刷された表示シール４を金属部材５の表面に貼着させ、マーカーとしての表示部材Ｍを用意しておくとともに、台紙３から所望の表面保護材を剥がし、当該表示部材Ｍの表面Ｍａに粘着層２を粘着させることにより、競技者の名前が表示されたマーカーが完成する。
【００２４】
上記製造方法によれば、表示部材Ｍの表面に極めて少数の名前表示を施すものや、表示部材Ｍの大きさ或いは材質の制限があるものにも、ポッティング材による表面保護を容易に行わせることができる。そして、表示部材Ｍの表面Ｍａを保護し、長期に亘って表示シール４の名前の表示を良好に維持させることができるとともに、表面保護材自体の光沢により見栄えを向上させることができる。また、既存のポッティング加工装置をそのまま使用して表面保護材を製造することができ、製造コストを更に抑制させることができる。更に、表示部材Ｍの表面Ｍａとポッティング材との接着性が悪いものであっても、粘着層２により当該表面Ｍａ上にポッティング層１を形成させることができ、表示部材Ｍの材質等を種々のものに変更させることができる。
【００２５】
以上、本実施形態について説明したが、本発明はこれに限定されるものではなく、例えば表示部材Ｍをマーカーとは異なる他の部材（例えば電気製品などの表示部を保護するもの）として適用してもよい。その場合、表面保護材の形状は、適用される表示部の形状に伴い変更することができ、例えば楕円形や矩形状のものとしてもよく、保護すべき表示も競技者の名前とは異なるもの（例えばメーカー名や製品名等）となる。
【００２６】
また、本実施形態においては、金属部材５の表面に競技者の名前が印刷された表示シール４を貼着させているが、金属部材５の表面に直に印刷を施したり或いは刻印等にて名前を表示させたりしてもよい。更に、金属部材５に代えて他の材料（硬質の樹脂等）から成る表示部材Ｍとしてもよい。
【産業上の利用可能性】
【００２７】
ポッティング加工にて表示部材の表面と略同一形状に形成され、透明又は半透明なポッティング材から成るポッティング層と、該ポッティング層の裏面に形成され、表示部材の表面に粘着可能な粘着層とを有し、粘着層が所定の台紙上に粘着され剥離可能とされた表面保護材及びその製造方法であれば、形状や材質が異なるものにも適用することができる。
【図面の簡単な説明】
【００２８】
【図１】本発明の実施形態に係る表面保護材が台紙上に粘着された状態を示す模式図
【図２】図１におけるＩＩ−ＩＩ線断面図
【図３】同表面保護材を表面部材の表面に粘着した状態のマーカーを示す正面図
【図４】図３におけるＩＶ−ＩＶ線断面図
【図５】同表面保護材の製造過程を示す模式図であって、台紙上に形成された粘着層（型抜き前）を示す断面模式図
【図６】同表面保護材の製造過程を示す模式図であって、台紙上に形成された粘着層（型抜き後）を示す正面図
【図７】同表面保護材の製造過程を示す模式図であって、台紙上の粘着層にポッティング層を施す状態を示す模式図
【符号の説明】
【００２９】
１    ポッティング層
２    粘着層
３    台紙
４    表示シール
５    金属部材
Ｍ    表示部材
【図１】
2006341917.tif 000003
【図２】
2006341917.tif 000004
【図３】
2006341917.tif 000005
【図４】
2006341917.tif 000006
【図５】
2006341917.tif 000007
【図６】
2006341917.tif 000008
【図７】
2006341917.tif 000009